(57)【要約】【課題】高温下において通気経路を確実に閉塞することにより高い防火性を有し、且つ前記通気経路の閉塞を簡便な構造にて達成することができる換気棟を提供する。【解決手段】屋内外を連通する通気経路２を有する換気棟１に関する。自身の弾性力若しくは弾性を有する別途の部材により前記通気経路２を閉塞する方向に付勢されたシャッター部３を設ける。前記シャッター部３を付勢力に抗して通気経路２を開放する状態に支持する支持部材４を設ける。前記支持部材４を低融点材料にて形成する。火災時などに、換気棟１が高温となった場合に、支持部材４が融解し、これによりシャッター部３の付勢力が開放されて通気経路２が閉塞される。【選択図】図１
2006097338.tif 000002
【特許請求の範囲】
【請求項１】
屋内外を連通する通気経路を有する換気棟において、自身の弾性力若しくは弾性を有する部材により前記通気経路を閉塞する方向に付勢されたシャッター部を設けると共に、前記シャッター部を付勢力に抗して通気経路を開放する状態に支持する支持部材を設け、且つ前記支持部材を低融点材料にて形成したことを特徴とする換気棟。
【請求項２】
上記低融点材料が、低融点金属又は低融点合金であることを特徴とする請求項１に記載の換気棟。
【請求項３】
上記低融点材料が、プラスチック材料であることを特徴とする請求項１に記載の換気棟。
【発明の詳細な説明】
【技術分野】
【０００１】
本発明は屋根の換気構造に関し、特に平常時は屋根裏の換気を行うことができ、且つ火災時等においては気体の流通を遮断して、延焼を抑制することができる換気棟に関するものである。
【背景技術】
【０００２】
従来、屋根裏の換気を行うことにより、湿気を防いで家屋の寿命を長く保持するために、しばしば換気棟と呼ばれるものが設けられている。この換気棟は、例えばガルバリウム鋼板等の金属薄板を折り曲げ加工して棟部に沿うように山形に形成され、通気口が開口して設けられているものであり、その内側には、通気口に連通する通気経路が設けられ、この通気経路が、屋根裏に通じる換気口に連通している。
【０００３】
ところが、このような換気棟を設ける場合、隣家で火災が発生すると、通気口から通気経路に向けて炎が進入しやすくなり、これが原因で自家に燃え広がるおそれがある。また、自家で火災が発生した場合には、逆に通気経路を通じて炎が通気口から吹き出しやすくなり、この炎が隣家に燃え移って延焼するおそれがある。このため、いずれの場合にも、換気棟を設けることは、防火上の問題をはらんでいる。
【０００４】
そこで、近年、換気棟を設ける場合の防火性を向上するための、種々の提案がなされている。例えば通気経路に熱により発泡する熱発泡性材料を内装しておき、火災等の加熱時に前記熱発泡性材料が発泡して膨張することにより通気経路を閉塞することが提案されている（特許文献１参照）。しかし、この構造では、熱発泡性材料は膨張を開始する温度にバラツキがあって所望の温度に膨張を開始させることが難しく、また熱発泡性材料は均一に発泡させることが難しく、通気経路を隙間なく閉塞することが困難なものであった。
【０００５】
また、通気経路に開閉自在なダンパを設けると共に、このダンパにスプリングを接続してダンパを閉じる方向に付勢し、更にこのダンパに温度ヒューズを接続してこの温度ヒューズにてダンパを開いた状態に維持することも提案されている（特許文献２参照）。この場合、一定の温度以上では温度ヒューズが切れてダンパが閉じる、これにより通気経路を閉塞することができるが、前述のようにダンパにスプリングを接続したり、スライド機構を設けたりする必要があるため、構造が複雑化してしまうという問題があった。
【特許文献１】特開２００４−２２５４２８号公報
【特許文献２】特開平１０−８０５００号公報
【発明の開示】
【発明が解決しようとする課題】
【０００６】
本発明は上記の点に鑑みて為されたものであり、高温下において通気経路を確実に閉塞することにより高い防火性を有し、且つ前記通気経路の閉塞を簡便な構造にて達成することができる換気棟を提供することを特徴とするものである。
【課題を解決するための手段】
【０００７】
本発明は、屋内外を連通する通気経路２を有する換気棟１において、自身の弾性力若しくは弾性を有する別途の部材により前記通気経路２を閉塞する方向に付勢されたシャッター部３を設けると共に、前記シャッター部３を付勢力に抗して通気経路２を開放する状態に支持する支持部材４を設け、且つ前記支持部材４を低融点材料にて形成したことを特徴とするものである。
【０００８】
上記低融点材料としては、低融点金属又は低融点合金を用いることができ、またプラスチック材料を用いることもできる。
【発明の効果】
【０００９】
本発明によれば、火災時などに、換気棟が高温となった場合に、支持部材が融解し、これによりシャッター部の付勢力が開放されて通気経路が閉塞され、通気経路における空気の流通が遮断されることとなり、このため、隣家の火災時などには炎が通気経路を通じて屋内に進入することを防止して、自家が延焼することを防止することができ、また自家が火災にあった場合には、通気経路を通じて炎が屋外へ噴き出すことを防止することができ、隣家が延焼することを防止することができるものであり、いずれの場合にも火災の被害の拡大を防止することができるものである。また、シャッター部は自身の弾性力若しくは弾性を有する部材により付勢されていることから、換気棟の構造が複雑化することがなく、簡便な構成にて換気棟の防火構造を形成することができるものである。
【発明を実施するための最良の形態】
【００１０】
以下、本発明を、その実施をするための最良の形態に基づいて説明する。
【００１１】
図１〜３に示す例では、棟木と垂木１８を組み合わせた屋根において、屋根下地１９の上に防水シート２０を介して瓦２１を敷設しているが、屋根の頂部においては、屋根下地１９が間隔をあけて配置され、この屋根下地１９間が屋根裏に連通する換気口１６となっている。換気口１６の開口縁からは水切り片２７が略垂直に立設されており、水切り片２７の基部は、瓦２１と屋根下地１９との間に介在する、水切り片２７と共に断面略く字状をなす支持片２８にて支持されている。
【００１２】
換気棟１は、ガルバリウム鋼板等の板材を成形加工するなどして得られる上側部材５と下側部材７とで構成されている。
【００１３】
下側部材７は一対の水切り板７ａにて構成されている。各水切り板７ａには、その主体を構成する基部８の棟側端部から上方に延出された水切り部９、水切り部９から軒側に延出された延出部１１、延出部１１の軒側端部から延出された垂下部１２が設けられている。また各水切り板７ａはその棟側端部が上方に折り返されて、更にその折り返し部分の端部を上方に折り起こして起立部１３が形成されている。起立部１３は前記垂下部１２よりも軒側において、垂下部１２と対向するように配されている。また、前記水切り部９には通孔１０が設けられており、この通孔１０にて通気経路２の流通が確保されている。
【００１４】
この各水切り板７ａは、その軒側の端部が取付金具２２にて瓦２１上に固着されている。ここで取付金具２２は、瓦２１上に載置される基部２３がビス等の固着具２６にて瓦２１上に固着されており、この固着具２６は屋根下地１９、垂木１８も貫通すると共に、水切り片２７の基部２８も貫通し、これにより水切り片２７も支持している。取付金具２２の基部２３からは連結片２４が立設されており、この連結片２４において水切り板７ａがビス等の固着具２５にて固着されているものである。このとき図示の例では、水切り板７ａの軒側端部は連結片２４及び屋根材の形状に沿って、下方に屈曲された後、軒側に向けて屈曲された形状となっており、この下方に屈曲された箇所において、水切り板７ａが取付金具２２の連結部に固着されている。
【００１５】
上記二つの水切り板７ａの棟側端部間の隙間は、換気口１６に連通しており、これにより換気口１６と換気棟１とが連通されている。
【００１６】
また、上側部材５は、棟部の頂部から両側の軒側に向けて延出する二つの覆い部２８を備える断面山型状に形成され、その覆い部２８の軒側の両端部には、下方に垂下する垂下片６が設けられている。また、覆い部２８の下面には、一又は複数の垂下部１５が設けられており、この垂下部１５は、覆い部２８の下面に固着された固着片１４から下方に垂下するように設けられている。
【００１７】
上側部材５は、その頂部が換気口１６の上方に配置された状態で、二つの覆い部２８が軒側に向けて延出するように配置されて、屋根の頂部を覆うように設けられており、一方の覆い部２８が一方の水切り板７ａの上方に配置されると共に、他方の覆い部２８が他方の水切り板７ａの上方に配置される。この上側部材５は、図示はしていないが適宜の固着具にて固着されている。そして、このように上側部材５と下側部材７とを組み合わせて構成される換気棟１の内側には、空気の流通する通気経路２が形成される。ここで、垂下片６の下方には隙間をあけておくことで、この隙間を通気経路２と屋外とを連通する通気口２９として形成している。この通気経路２内には垂下部１２，１５や起立部１３が設けられていることで、空気が上下に蛇行しながら流通するようになっている。また、通気経路２を仕切るように水切り部９が設けられることで屋内への水の浸入が防止され、且つ水切り部９に設けられた通孔１０により空気の流通が確保されている。
【００１８】
本発明では、上記に例示したような換気棟１において、通気経路２内にシャッター部３が設けられている。シャッター部３は、自身の弾性力若しくは弾性を有する別途の部材により通気経路２を閉塞する方向に付勢されている。また、シャッター部３には、このシャッター部３をその付勢力に抗して支持することにより通気経路２を開放する状態に維持する支持部材４が設けられている。支持部材４は低融点材料にて形成されるものであり、特に平常時においては融解せずにシャッター部３を確実に支持すると共に、火災時等による温度上昇時には確実に融解して木材等の建材が引火することを確実に防ぐためには、その融点が６０〜２５０℃の範囲の材料にて形成することが好ましい。このような低融点材料としては、例えば、スズ、鉛、ビスマス、或いはこれらと亜鉛、インジウム、カドミウム、銅等との合金のような低融点金属や低融点合金を用いることができ、或いはプラスチック材料、好ましくは前記融点範囲のプラスチック材料を用いることもできる。
【００１９】
上記支持部材４は、シャッター部３に対しその付勢方向側に位置するようにして、通気経路２内に部分的に介在させて配設することができる。この場合、支持部材４にはシャッター部３の弾性付勢力によって圧縮応力を受けるものであり、支持部材４はこの圧縮応力に抗してシャッター部３を支持するものである。
【００２０】
また、シャッター部３は、板バネとして形成することにより自身の弾性力により付勢されるように形成すると共に、このシャッター部３を、換気棟１を構成する上側部材５や下側部材７に一体に設けるようにすると、シャッター部３の構造をより簡便なものとすることができる。また、シャッター部３を弾性を有する別途の部材により付勢することもできる。例えば、シャッター部３の材質、形状によっては、自身の弾性での閉塞が困難な場合でも、別途の部材として十分な弾性を備える材質・形状のものを設け、この部材にてシャッター部３に対して弾性付勢力をかけることができるものである。
【００２１】
例えば図１に示す例では、各水切り板７ａにおける、互いに対向して配置されている垂下部１２と起立部１３とが共にシャッター部３として形成されており、これらが互いに近づく方向に付勢されている。すなわち、垂下部１２及び起立部１３は板バネとして形成されていて、自身の弾性力により、垂下部１２がその基部を中心に起立部１３側へ向けて傾動する方向に付勢されており、また起立部１３がその基部を中心に垂下部１２側へむけて傾動する方向に付勢されているものである。
【００２２】
そして、この垂下部１２と起立部１３との間には支持部材４が部分的に介在して設けられており、この支持部材４によって垂下部１２と起立部１３とは、自身にかかる付勢力に抗して互いに離間した状態に維持され、これにより通気経路２が開放された状態に維持されている。
【００２３】
このように構成される換気棟１は、平常時（図１の左半分参照）には支持部材４により通気経路２が開放されて、通気経路２に空気が流通することにより、屋根裏の換気がなされる。
【００２４】
また火災時などに、換気棟１が高温となった場合（図１の右半分参照）には、上記の低融点材料にて形成される支持部材４が融解し、これにより垂下部１２及び起立部１３の付勢力が開放されて、起立部１３が垂下部１２側へ向けて傾動すると共に、垂下部１２が起立部１３側に向けて傾動し、これにより起立部１３と垂下部１２の先端同士が重なって、通気経路２が閉塞され、通気経路２における空気の流通が遮断される。このため、隣家の火災時などには炎が通気経路２を通じて屋内に進入することを防止して、自家が延焼することを防止することができ、また自家が火災にあった場合には、通気経路２を通じて炎が屋外へ噴き出すことを防止することができ、隣家が延焼することを防止することができるものであり、いずれの場合にも火災の被害の拡大を防止することができるものである。
【００２５】
また、図２に示す例では、各水切り板７ａの起立部１３が、先端が軒側に向けて斜めに傾斜するように形成され、且つこの起立部１３の先端からは、軒側に向けてシャッター部３が延出している。このシャッター部３は、板とバネして形成されていて、自身の弾性力によりその基部を中心にして先端が上方の上側部材５の内面に向けて傾動する方向に付勢されているものである。
【００２６】
そして、このシャッター部３と、上側部材５の内面との間には、上記と同様の低融点材料にて形成された支持部材４が部分的に介在しており、この支持部材４によってシャッター部３は、自身にかかる付勢力に抗して上側部材５の内面と離間した状態に維持されている。
【００２７】
このように構成される換気棟１は、平常時（図２の左半分参照）には支持部材４により通気経路２が開放されて、通気経路２に空気が流通することにより、屋根裏の換気がなされる。
【００２８】
また火災時などに、換気棟１が高温となった場合（図２の右半分参照）には、上記の低融点材料にて形成される支持部材４が融解し、これによりシャッター部３の付勢力が開放されて、シャッター部３が上側部材５に向けて傾動し、これによりシャッター部３の先端が上側部材５の内面に当接して通気経路２が閉塞され、通気経路２における空気の流通が遮断される。このため、上記の場合と同様に火災の拡大を防止することができるものである。
【００２９】
また、図３に示す例では、各水切り板７ａの垂下部１２の先端から、軒側に向けてシャッター部３が延出している。このシャッター部３は、板バネとして形成されていて、自身の弾性力によりその基部を中心にしてその先端が下方の水切り板７ａの基部８に向けて傾動する方向に付勢されているものである。
【００３０】
そして、このシャッター部３と基部８との間には、上記と同様の低融点材料にて形成された支持部材４が部分的に介在しており、この支持部材４によってシャッター部３は、自身にかかる付勢力に抗して基部８と離間した状態に維持されている。
【００３１】
このように構成される換気棟１は、平常時（図３の左半分参照）には支持部材４により通気経路２が開放されて、通気経路２に空気が流通することにより、屋根裏の換気がなされる。
【００３２】
また火災時などに、換気棟１が高温となった場合（図３の右半分参照）には、上記の低融点材料にて形成される支持部材４が融解し、これによりシャッター部３の付勢力が開放されて、シャッター部３が基部８に向けて傾動し、これによりシャッター部３の先端が上側部材５の内面に当接して通気経路２が閉塞され、通気経路２における空気の流通が遮断される。このため、上記の場合と同様に火災の拡大を防止することができるものである。
【図面の簡単な説明】
【００３３】
【図１】本発明の実施の形態の一例を示す概略の断面図である。
【図２】本発明の実施の形態の他例を示す概略の断面図である。
【図３】本発明の実施の形態の更に他例を示す概略の断面図である。
【符号の説明】
【００３４】
１  換気棟
２  通気経路
３  シャッター部
４  支持部材
【図１】
2006097338.tif 000003
【図２】
2006097338.tif 000004
【図３】
2006097338.tif 000005